(57)【要約】      （修正有）【課題】身近にある布体を利用して何時でも何処でも簡便にエプロンを構成することができ、腰部への固定が極めて容易かつ伸縮自在であるとともに、外観性にも優れたエプロン用ストラップ及びストラップセット並びにそれらの材料キットを提供する。【解決手段】エプロン用ストラップ１は、編み紐の手法により紐体を製編してなるストラップ本体２と、エプロン前身頃の布体上縁または側縁を把持するためにストラップ本体２の長手方向両端部または片端部に設けられた係止手段３と、を有し、係止手段３は、ストラップ本体２に編み込まれている。ストラップセットは、長手方向両端部に係止手段３が設けられたエプロン用ストラップ１を１本と長手方向片端部のみに係止手段３が設けられたエプロン用ストラップ１を２本含む。材料キットは、紐体と複数個の係止手段を含む。【選択図】図１
0003229312.tif 000002
【実用新案登録請求の範囲】
【請求項１】
編み紐の手法により紐体を製編してなるストラップ本体と、
エプロン前身頃の布体上縁または側縁を把持するために前記ストラップ本体の長手方向両端部または片端部に設けられた係止手段と、を有し、
前記係止手段は、前記ストラップ本体に編み込まれていることを特徴とするエプロン用ストラップ。
【請求項２】
前記編み紐の手法がマクラメ編みであり、且つ、前記ストラップ本体の長手方向中間領域に伸縮自在なスライド部を有すること特徴とする請求項１に記載のエプロン用ストラップ。
【請求項３】
前記ストラップ本体の長手方向に沿って規則的凹凸を有することを特徴とする請求項１又は２に記載のエプロン用ストラップ。
【請求項４】
請求項１に記載される長手方向両端部に係止手段が設けられたエプロン用ストラップ２本を含むことを特徴とするエプロン用ストラップセット。
【請求項５】
請求項１に記載される長手方向両端部に係止手段が設けられたエプロン用ストラップ１本と、長手方向片端部のみに係止手段が設けられたエプロン用ストラップ２本と、を含むことを特徴とするエプロン用ストラップセット。
【請求項６】
請求項１に記載される紐体と、複数個の係止手段と、を含むことを特徴とするエプロン用ストラップ製編用の材料キット。
【考案の詳細な説明】
【技術分野】
【０００１】  本考案は、編み紐の手法により製編してなるエプロン用ストラップ、及びストラップセット、並びにエプロン用ストラップ製編用の材料キットに関する。
【背景技術】
【０００２】  家庭や職場において、食品や塗料など汚れ易い物品を取り扱う際に、作業者の衣服汚れを防止する目的でエプロンが多用されている。特殊用途を除いて日常的に使用されているエプロンは、着用者の身体前面をカバーする前身頃布体と、前身頃布体の上辺を首や肩に係止するための首紐または肩紐と、中間部側辺を腰部に固定するための腰紐とから構成されている。【０００３】  従来、さまざまなタイプのエプロンが数多く市販されており、着用者の使用目的や使用頻度、外観性や色柄などの好みに応じて適宜に選択されている。また、エプロン前身頃としてタオルやハンカチのような身近にある布体を転用し、この布体を着用者の首部に掛け渡したり、腰部に固定したりするための着脱式ストラップ（首紐や腰紐）も幾つか提案されている。【０００４】  例えば、特許文献１には、フェイスタオル等を簡単にカフェエプロンとして活用できる小道具を提供することを目的として、フィッシュクリップと綾テープとを組み合わせたクリップ付き紐体が記載されている。また、特許文献２の図１及び図４には、特定の構造を有する２つのエプロン用留め具を紐体によって相互に連結したストラップ（首紐）が記載されている。
【先行技術文献】
【特許文献】
【０００５】
【特許文献１】実用新案登録第３１４１１０２号  公報
【特許文献２】実用新案登録第３０４３７８４号  公報
【考案の概要】
【考案が解決しようとする課題】
【０００６】  従来の多くのエプロンの前身頃布体は正方形や長方形ではなく不規則な形状になっており、首紐や腰紐が一体に縫合されているため、洗濯や洗濯後のたたみ作業が煩わしいという問題があった。特に、台所や調理場において、また飲食などの機会においてエプロンが使用される場合には、その清潔性を維持する必要があるので、洗濯や洗濯後のたたみ作業が滞ると同じエプロンの繰り返し使用が制約されるという大きな問題もあった。【０００７】  また、エプロンのストラップは、エプロン前身頃と比べて汚れ難いにも拘わらず、前身頃に縫合されているので頻繁に洗うということを前提にデザインされていることが多い。このため、エプロンの外観性やファッション性を高めるための繊細な装飾が難しいという問題もあった。【０００８】  更に、一般的なエプロンは、首紐や肩紐、腰紐のサイズ及び取付け位置などが固定されているので、１着のエプロンを体格の異なる複数の着用者が共用することが困難である。更にまた、エプロンを使用する多くの人が、エプロン以外の手拭きや布巾を準備する必要があり、調理途中などにおいて、手や食器等を拭くために作業を中断しなくてはならない場面がしばしば発生している。加えて、エプロンを着用する度に腰紐を背中側でリボン結びしなければ解けてしまうという煩雑さもある。【０００９】  上述したような従来技術の問題点に鑑み、本考案は、身近にあるバスタオルなどの布体を利用して何時でも何処でも簡便にエプロンを構成することができ、長さ調整および腰部への固定が極めて容易であるとともに、外観性にも優れたエプロン用ストラップ及びストラップセット並びにエプロン用ストラップ製編用の材料キットを提供することを目的とする。
【課題を解決するための手段】
【００１０】  上記目的を達成する本考案のエプロン用ストラップは、編み紐の手法により紐体を製編してなるストラップ本体と、エプロン前身頃の布体上縁または側縁を把持するために前記ストラップ本体の長手方向両端部または片端部に設けられた係止手段と、を有し、前記係止手段は、前記ストラップ本体に編み込まれていることを必須の特徴とする（請求項１）。【００１１】  前記エプロン用ストラップにおいては、前記編み紐の手法がマクラメ編みであり、且つ、前記ストラップ本体の長手方向中間領域に伸縮自在なスライド部を有することが好ましい（請求項２）。このようなスライド部を設けることにより、着用者の体格に応じてストラップ本体の長さ調整が容易になり、汎用性が著しく向上する。【００１２】  また、前記エプロン用ストラップは、前記ストラップ本体の長手方向に沿って規則的凹凸を有することが好ましい（請求項３）。この規則的凹凸の存在により、子供や高齢者でもエプロンの着用が容易になる。【００１３】  本考案のエプロン用ストラップセットは、前記請求項１に記載される長手方向両端部に係止手段が設けられたエプロン用ストラップ２本を含むことを特徴とする（請求項４）。このようなエプロン用ストラップ２本は首紐および腰紐として好ましく使用することができる。【００１４】  また上記とは別の態様に係る本考案のエプロン用ストラップセットは、前記請求項１に記載される長手方向両端部に係止手段が設けられたエプロン用ストラップ１本と、長手方向片端部のみに係止手段が設けられたエプロン用ストラップ２本と、を含むことを特徴とする（請求項５）。長手方向両端部に係止手段が設けられたエプロン用ストラップ１本は首紐として用いられ、長手方向片端部のみに係止手段が設けられたエプロン用ストラップ２本は腰紐として好ましく使用することができる。【００１５】  更に本考案においては、請求項１に記載される紐体と複数個の係止手段とを含むエプロン用ストラップ製編用の材料キットも提供する（請求項６）。前記材料キットには、必要に応じて、エプロン用布体やビーズ等の装飾体を更に含めることもできる。このような材料キットにより、上記したようなエプロン用ストラップ及びストラップセットを手作りする楽しみを提供することができる。
【考案の効果】
【００１６】  本考案エプロン用ストラップ及びストラップセットはエプロン前身頃布体との着脱が容易であるので、前身頃布体の洗濯性や折り畳み性を改善することができる。また、本考案のエプロン用ストラップ及びストラップセットは、エプロン全体の外観性やファッション性を高めることができる。さらに、身近にあるバスタオルなどの布体を利用して何時でも何処でも簡便にエプロンを構成することができ、長さ調整および腰部への固定が極めて容易である。加えて、本考案の材料キットを使用することにより、編み紐の初心者であっても説明書等を参照しながら、前記エプロン用ストラップ及びストラップセットを簡便に製作することができるという効果を奏する。
【図面の簡単な説明】
【００１７】
【図１】本考案の一実施形態に係るエプロン用ストラップの全体形状を示す参考写真である。
【図２】エプロン用ストラップの係止手段（プラスチック製目玉クリップ）を部分拡大した参考写真である。
【図３】エプロン用ストラップの係止手段（円盤状マグネット）を部分拡大した参考写真である。
【図４】エプロン用ストラップ本体の長手方向中間領域に設けた伸縮自在なスライド部を部分拡大した参考写真である。なお、スライド部から下方に垂れ下がる２組の紐体はストラップ本体の長さ調整用の飾り紐である。
【図５】本考案の別の実施形態に係るエプロン用ストラップの全体形状を示す参考写真である。
【図６】本考案のエプロン用ストラップセットの一実施形態を示す参考写真である。
【図７】本考案の別の実施形態に係るエプロン用ストラップセット及びそれらの使用状態を示す参考写真である。
【考案を実施するための形態】
【００１８】  以下、図面（参考写真）を参照しながら本考案の実施形態を説明する。本考案はこれらの実施形態に限定されるものではない。
【００１９】（エプロン用ストラップ）
図１に示すように、本考案のエプロン用ストラップ１は、編み紐の手法により紐体（図示せず）を製編してなるストラップ本体２と、エプロン前身頃の布体上縁または側縁を把持するために前記ストラップ本体の長手方向両端部または片端部に設けられた係止手段３とを有している。そして、係止手段３は編み込み部４を介して、ストラップ本体２に編み込まれている。
【００２０】  図１に示す実施形態では、ストラップ本体２の両端部に各１個の係止手段３が編み込まれている。また、図５に示す別の実施形態では、ストラップ本体２の片端部に１個の係止手段３が編み込まれている。このように本考案のエプロン用ストラップ１は、ストラップ本体２の長手方向の両端部または片端部に係止手段３が編み込まれていることを必須の特徴とする。
【００２１】  編み紐の手法により紐体（図示せず）を製編する方法は特に限定されず、公知の編み紐の手法を用いることができる。使用する紐体の材質や寸法、本数も特に限定されず、編み紐の手法に応じて紐体を適宜選択することができる。また、機械編みや手編みなど公知の製編方法を採用することができる。
【００２２】  係止手段３はエプロン布体を着脱自在に確実に把持できるものであれば、形状や材質、把持機構は特に限定されない。図２には挟み口の形状が平板上であり、つまみ部に目玉穴を有するプラスチック製目玉クリップ３ａの部分拡大図を示す。この実施形態においては、つまみ部にある目玉穴に紐体を挿通させることにより、係止手段３としてのプラスチック製目玉クリップ３ａをストラップ本体２に編み込んである。
【００２３】  図３には、係止手段３の別の実施形態として円盤状マグネット３ｂ採用し、ストラップ本体２の二股状に分岐した２つの端部に編み込んだ部分拡大図を示す。円盤状マグネット３ｂのサイズや形状は特に限定されず、例えば、プラスチックで円盤状に被覆成型された各種形状のマグネットを使用することもできる。また、編込み部４の形状を保持し、円盤状マグネット３ｂの脱落を防止するために結束用飾り４ａを使用することもできる。この結束用飾り４ａのサイズや材質も特に限定されない。
【００２４】  本考案のエプロン用ストラップにおいては、上述した各種の編み紐の手法の中でも、図４に示すように、編み紐の手法がマクラメ編みであり、且つ、ストラップ本体２の長手方向中間領域に伸縮自在なスライド部５を有することが好ましい。長手方法中間領域およびスライド部５の長さは特に限定されない。また、スライド部５から下方に垂れ下がる１対の紐状体は、ストラップ本体２の長さ調整用の飾り紐６とすることができる。前記飾り紐６の先端部にはタッセル状チャーム７が設けられている。
【００２５】  また、図５に示すように、本考案のエプロン用ストラップにおいては、ストラップ本体が規則的な凹凸形状８、９を有することが好ましい。凹凸形状の全長や高さ、凹凸繰り返し数は特に限定されない。このような凹凸形状の存在により、エプロン布体の腰部への固定が極めて容易になる。
【００２６】（エプロン用ストラップセット）
図６に示すように、本考案の一実施形態に係るエプロン用ストラップセットＡは、前述した長手方向両端部に係止手段３が設けられたエプロン用ストラップ１０（２）を２本含むことを特徴とする。エプロン用ストラップ１０（２）の本数は２本以上であってもよく、スライド部の有無は特に限定されない。
【００２７】  図７に示すように、本考案の別の実施形態に係るエプロン用ストラップセットＡは、前述した長手方向両端部に係止手段３が設けられたエプロン用ストラップ１０（２）１本と、長手方向片端部のみに係止手段３が設けられたエプロン用ストラップ１１（２）２本と、を含むことを特徴とする。この場合、両端部に係止手段３が設けられたエプロン用ストラップ１０（２）は首紐として用いられ、片端部のみに係止手段が設けられたエプロン用ストラップ１１（２）は腰紐として用いられる。そして、それぞれの係止部材３を介してエプロン前身頃の布体Ｂに取り付けることにより、エプロンＣが完成する。
【００２８】（エプロン用ストラップ製編用の材料キット）
本考案のエプロン用ストラップ製編用の材料キットは、前述したような紐体と複数個の係止手段とを含むことを特徴とする。この材料キットを使用することにより、編み紐の初心者であっても説明書等を参照しながら、前記エプロン用ストラップ及びストラップセットを簡便に製作することができる。
【符号の説明】
【００２９】１          エプロン用ストラップ
２          ストラップ本体
３          係止手段
３ａ        係止手段としてのプラスチック製目玉クリップ
３ｂ        係止手段としての円盤状マグネット
４          ストラップ本体の係止手段への編込み部
４ａ        編込み部の結束用飾り
５          ストラップ本体のスライド部
６          ストラップ本体の長さ調整用飾り紐
７          タッセル状チャーム
８          ストラップ本体の凸部
９          ストラップ本体の凹部
１０（２）  両端部に係止手段を有するエプロン用ストラップ
１１（２）  片端部に係止手段を有するエプロン用ストラップ
Ａ          エプロン用ストラップセット
Ｂ          エプロン前身頃の布体
Ｃ          エプロン
【図１】
0003229312.tif 000003
【図２】
0003229312.tif 000004
【図３】
0003229312.tif 000005
【図４】
0003229312.tif 000006
【図５】
0003229312.tif 000007
【図６】
0003229312.tif 000008
【図７】
0003229312.tif 000009